(57)【特許請求の範囲】
【請求項１】
既築建物の外壁と増改築建物の外壁の境界部分において、既築建物の外壁の増改築建物側に、増改築建物の外壁の表面方向に平行でかつ外壁の境界部分の上下全体に亙り、基板と、その側縁を折り曲げた段部を介して基板に平行に延設した主板とを有するカバー板を前記基板を既築建物の外装板と下地材の間に挟着して取付けるとともに、該カバー板の主板の外側に一定の間隔を隔てて増改築建物の外装板を延設し、カバー板と増改築建物の外壁板が増改築建物の外壁の表面方向にスライド可能とすることを特徴とする増改築建築物の外壁構造。
【請求項２】
カバー板を弾性板材で形成することを特徴とする請求項１記載の増改築建築物の外壁構造。
【請求項３】
増改築建物の外装板の裏側に受け板を取付け、該受け板の先端でカバー板に向って設けられた水密片の先端がカバー板の表面に当接し、カバー板と受け板間に水密材を介装することを特徴とする請求項１又は２記載の増改築建築物の外壁構造。
【請求項４】
受け板の先端に外側に向う堰板を設け、増改築建物の外装板の端縁と堰板の間隙にシーリング材を充填することを特徴とする請求項１乃至３のいずれかに記載の増改築建築物の外壁構造。
【発明の詳細な説明】
【０００１】
【発明の属する技術分野】
本発明は、外観に優れ地震等の被災時に破損を防止でき、或いは破損の程度を低減しうる増改築建築物の外壁構造に関する。
【０００２】
【従来の技術】
近年、住宅における居住者の生活様式の変化、店舗における改装等の際、既築建築物への増築、既築建築物の一部を取り壊した上の改築が増加している。
【０００３】
このような建築物においては、工事の能率、仕上りの外観を良好とするため、既築の外壁構造に対し、増改築される外壁構造を連続一体に形成し、しかもその屋外側、及び屋内側の表面仕上げも連続一体に形成することが一般的である。
【０００４】
ところで、これら増加築された建築物では、鉄骨構造の既築建物に木質構造を増築する等構造の種類自体が異なる場合が多く、或いは構造の種類は同じであっても、殆どの場合その剛性、固有振動数等構造特性が異なる。このため地震、交通振動下で既築建物と増改築建物でその挙動が異なり、これにより前記連続一体に形成された外壁構造がその境界部分で変形を生じ、更に連続一体に形成された屋外側、及び屋内側の表面仕上げに割れ、剥離を招く。
【０００５】
【発明が解決しようとする課題】
このような問題を解決するために、既築建物から分離独立して増改築建物を構築し、双方部分間に前記挙動の相違を吸収する間隔を設ける構造を採用することなども考えられている。しかしこのような増改築の建築構造においては、既築建物と増改築建物の間から、空気、音、雨水が浸入しやすく、屋内の環境を損ねるという問題がある。
【０００６】
また、既築建物と増改築建物の隙間を被覆するために伸縮可能な蛇腹状の連結材を取付たり、被覆材を取り付けることが行われているが、屋外側、屋内側共に建築物の外観を損なうという問題がある。
【０００７】
本発明は、以上のような問題点に鑑み案出なされたもので、交通振動発生時既築建物と増改築建物でその挙動が異なっても、外壁板等既築建物及び増改築建物の構造体に応力が発生することがなく、既築建物、増改築建物における変形や、外壁板に割れ等破損を防止する増改築建築物の外壁構造を提供することを目的としている。
【０００８】
【課題を解決するための手段】
本発明のうち請求項１記載の発明は、既築建物の外壁と増改築建物の外壁の境界部分において、既築建物の外壁の増改築建物側に、増改築建物の外壁の表面方向に平行でかつ外壁の境界部分の上下全体に亙り、基板と、その側縁を折り曲げた段部を介して基板に平行に延設した主板とを有するカバー板を前記基板を既築建物の外装板と下地材の間に挟着して取付けるとともに、該カバー板の主板の外側に一定の間隔を隔てて増改築建物の外装板を延設し、カバー板と増改築建物の外壁板が増改築建物の外壁の表面方向にスライド可能とする増改築建築物の外壁構造である。
【０００９】
このような構成を具えるため、地震、交通振動発生時既築建物と増改築建物でその挙動が異なっても、既築建物の外壁に設けたカバー板と増改築建物の外装板が増改築建物の外壁の表面方向にスライド可能であるため、外装板等既築建物及び増改築建物の構造体に応力が発生することがなく、既築建物、増改築建物における変形や、外装板に割れ等破損を防止しうる。
【００１０】
また請求項２記載の発明のように、カバー板を弾性板材で形成することにより、地震、交通振動発生時既築建物と増改築建物の間で、増改築建物の外壁表面に対し直角方向対し発生する挙動の差異に対しても、カバー板の変形がこれを吸収し、既築建物、増改築建物における変形や、外装板に割れ等破損を防止しうる。
【００１１】
さらに請求項３の発明のように、増改築建物の外装板の裏側に受け板を取付け、該受け板の先端でカバー板に向って設けられた水密片の先端がカバー板の表面に当接し、カバー板と受け板間に水密材を介装することにより、既築建物の外壁と増改築建物の外壁間で隙間が生じない為外観を損なうことがなく、空気、音、雨水の浸入を防止し、屋内の環境を快適に維持しうる。
【００１２】
また請求項４記載の発明のように、受け板の先端に外側に向う堰板を設け、増改築建物の外装板の端縁と堰板の間隙にシーリング材を充填することにより、外装板の裏部への雨水の浸入を防止しうるとともに、端面から外装板内部への雨水の含浸を防止し外装板の劣化を防止しうる。
【００１３】
【発明の実施の形態】
以下本発明の実施の一形態を図面に基づき説明する。
尚、本発明では、旧来の部分を既築建物１０１、新たに増改築する部分を増改築建物１０２、既築建物１０１及び増改築建物１０２全体を増改築建築物として説明する。
【００１４】
図１乃至３に示す増改築建築物の外壁構造Ａは、既築建物１０１の外壁と増改築建物１０２の外壁の境界部分において、境界部分の上下全体に亙るカバー板５１を具える。
【００１５】
本実施態様の既築建物１０１は、軽量鉄骨のフレーム材２１に珪酸カルシウム板、ＡＬＣ板、塩化ビニル鋼板等の外装板５２とラワン合板、針葉樹合板、石膏ボード等の内装板２３を三層にして貼設した外壁パネル２４を、接合金物（図示せず）を介して多数結合一体化して構築している。外壁パネル２４内部には、グラスウール、ロックウール、発泡スチロール等の断熱材２５を充填し、断熱性を向上する。既築建物１０１は必要により、外壁パネル２４の一部を取り外す等一部を取り壊し、その部分に連続して増改築建物１０２を構築する。
【００１６】
前記カバー板５１は図５に示すように、基板７１と、その側縁を直角に折り曲げた段部７２を介して基板７１に平行に延設した主板７３とその先端縁を鍵型に折り返した折返片７４からなり、基板７１を既築建物１０１の外装板５２とその下地材７５間に挟着して取付ける。
【００１７】
他方本実施態様の増改築建物１０２は、鉄骨製の柱２６と梁（図示せず）をボルト止め、溶接等で接合し組み立てた架構体に木製のフレーム材２７に外装板５２と内装板２３を貼設した外壁パネル２８を取付けて構築している。本実施態様では既築建物１０１に近接した柱２６の既築建物１０１側に、裏面に補強板２９を添設した外装板５２と内装板２３を具えた幅の小さな補助パネル３０を設ける。
【００１８】
増改築建物１０２の外装板５２は、前記カバー板５１の主板７３の外側に一定の間隙を隔てて延長形成される。この為カバー板５１と外装板５２は増改築建物１０２の外壁の表面方向にスライドが可能となり、従って地震、交通振動発生時既築建物１０１と増改築建物１０２でその挙動が異なっても、構造体での応力発生を防止し、既築建物１０１及び増改築建物１０２における変形や、外装板５２に割れ等破損を防止しうる。
【００１９】
また、カバー板５１は鋼板、ステレス、アルミニウム、合成樹脂等で形成しうるが、本実施態様ではカバー板５１を弾性に富んだガルバニウム鋼板で形成する。これによりカバー板５１は弾性変形を容易とし、増改築建物１０２の外壁表面に対し直角方向対し発生する挙動の差異に対しても、カバー板５１の変形がこれを吸収し、既築建物１０１、増改築建物１０２における変形や、外装板５２に割れ等破損を防止しうる。
【００２０】
また、本実施態様では、増改築建物１０２の外装板５２の裏側に受け板５３を具える。該受け板５３は、鋼板、ステレス、アルミニウム、合成樹脂等で形成し、図６に示すように、その先端で双方に反対方向に直角に折れ曲がる形状の水密片５４と堰板５６を有する。
【００２１】
図２に示すように、受け板５３の水密片５４の先端は、カバー板５１の主板７３の表面に当接しており、これにより既築建物１０１の外壁と増改築建物１０２の外壁間で隙間発生を防止し、外観を損なうことがない。更にカバー板５１の主板７３と受け板５３間にネオプレインゴム、スポンジ等の水密材５５を介装しており、これにより空気、音、雨水の浸入を防止し、屋内の環境を快適に維持しうる。
【００２２】
又本実施態様では、図２に示すように、受け板５３の先端に外側に向い設けた堰板５６と増改築建物１０２の外装板５２の端縁との間隙にシーリング材５７を充填しており、外装板５２の裏部への雨水の浸入を防止しうるとともに、端面から外装板５２内部への雨水の含浸を防止し外装板５２の劣化を防止しうる。
【００２３】
本実施態様では、外壁の屋内側表面である内装側には、目板下地５、該目板下地５に支持される目板３及び底目地４を具える。目板下地５は、図２、３に示すように石膏ボード、合板、珪酸カルシウム板等から成り、下地桟３１に取付ける。また目板下地５の背部に断熱材２５を充填し、断熱性を確保する。目板３は石膏ボード、合板、珪酸カルシウム板等から成るもので、縦長の長尺板状に形成し、目板下地５上の中央に積層して釘止め、接着等で取付ける。目板３の表面には、既築建物１０１及び増改築建物１０２の内装板２３の表面に帖設される内装シートと同一、又はこれらと色、柄が調和のとれた内装シートを帖設して仕上げる。また図１、３に示すように、目板３の表面は、既築建物１０１及び増改築建物１０２の内装仕上層２の表面と略面一に形成され、良好な外観を維持する。
【００２４】
また、図２に示すように、目板３と補助パネル３０の内装板２３からなる増改築建物１０２の内装仕上層２の間、及び目板３と既築建物１０１の内装仕上層１間に、各々同幅の間隙（５〜１５ｍｍ）を隔てることにより、底目地４を形成する。地震、交通振動下で既築建物１０１と増改築建物１０２でその挙動が異なり、これにより既築建物１０１の内装仕上層１と増改築建物１０２の内装仕上層２の間で変形や変位を生じることが多い。しかし、底目地４がその変形や変位を吸収し、目板３及びこれに隣接する内装仕上層１、２上での亀裂、しわ等の破損を抑制し、外観を損なうことを防止し、従って多少の変形も補修を要しない。また変形や破損が大きく、補修を必要とする場合でも、既築建物１０１と増改築建物１０２の内装仕上層１、２はそのまま残し、目板３の交換等の補修で済み、工事を容易とする。さらに、目板下地５として石膏ボード等一定以上の外力負荷で容易に破損する材料を使用すると、既築建物１０１と増改築建物１０２の挙動に相違が生じても、破損によりこの挙動の相違を吸収する。従って、既築建物１０１と増改築建物１０２の内装板２３には、これら挙動の相違による応力が発生せず、前記底目地４の作用と相俟って、双方に何ら損傷が生じることがない。
【００２５】
図４に示す増改築建築物の外壁構造Ｂは、外壁の屋外側の構成等は上記増改築建築物の外壁構造Ａと同様であるが、目板下地５が一対の下地構成材５ａ、５ｂから成る。一方の下地構成材５ａの側面に形成した溝３３に他方の下地構成材５ｂの対向する側面に形成した凸部３４をスライド自在に嵌合して構成し、既築建物１０１と増改築建物１０２の挙動の相違を吸収できる。しかも目板下地５も損傷することがなく、補修を何ら必要としない。目板３は目板下地５上の中央に積層し、一方の下地構成材５ａに対してのみ釘止め、接着等で固定されている。また双方の下地構成材５ａ、５ｂは、各々その背部の下地桟３１に取付けられる。
【００２６】
図８、９に示す増改築建築物の外壁構造Ｃは、既築建物１０１の外壁表面に対し増改築建物１０２の外壁を直角に増設する場合に採用する。本実施態様では、カバー板５１は図７に示すように、基板７１と、その側縁に鍵部７６を介して基板７１に直角に延設した主板７３とその先端縁を鍵型に折り返した折返片７４からなり、基板７１を既築建物１０１の外装板５２表面にビス固定で取付ける。受け板５３は、図６に示すところの前記増改築建築物の外壁構造Ａと同一のものを採用する。
【００２７】
また、既築建物１０１の内装仕上層１の表面と、増改築建物１０２の内装仕上層２の側面の間には、底目路４を介して目板３を設ける。該目板３は石膏ボード等一定以上の外力負荷で容易に破損する目板下地５に積層取付けし、その表面は増改築建物１０２の内装仕上層２の表面と略面一に形成される。
【００２８】
【発明の効果】
以上説明したように、本発明では、既築建物の外壁の増改築建物側に基板と、その側縁を折り曲げた段部を介して基板に平行に延設した主板とを有するカバー板を前記基板を既築建物の外装板と下地材の間に挟着して取付けるとともに、該カバー板の主板の外側に一定の間隔を隔てて増改築建物の外装板を延設し、カバー板と増改築建物の外装板が増改築建物の外壁の表面方向にスライド可能とするものであるため、既築建物と増改築建物でその挙動が異なっても、外装板等既築建物及び増改築建物の構造体に応力が発生することがなく、既築建物、増改築建物における変形や、外装板に割れ等破損を防止しうる。
【００２９】
また請求項２記載の発明では、カバー板を弾性板材で形成するため、増改築建物の外壁表面に対し直角方向対し発生する挙動の差異に対しても、カバー板の変形がこれを吸収し、既築建物、増改築建物における変形や、外装板に割れ等破損を防止しうる。
【００３０】
また請求項３記載の発明では、受け板の先端でカバー板に向って設けられた水密片の先端がカバー板の表面に当接し、双方の間に水密材を介装するため、既築建物の外壁と増改築建物の外壁間で隙間が生じない為外観を損なうことがなく、空気、音、雨水の浸入を防止し、屋内の環境を快適に維持しうる。
【００３１】
また請求項４記載の発明では、増改築建物の外装板の端縁と堰板の間隙にシーリング材を充填するため、外装板の裏部への雨水の浸入を防止しうるとともに、端面から外装板内部への雨水の含浸を防止し外装板の劣化を防止しうる。
【図面の簡単な説明】
【図１】本本発明の一実施形態を例示する断面図である。
【図２】その要部を示す拡大図である。
【図３】その分解斜視図である。
【図４】本発明の異なる実施形態の断面図である。
【図５】カバー板を示す斜視図である。
【図６】受け板を示す斜視図である。
【図７】異なる形態のカバー板を示す斜視図である。
【図８】本発明の更に異なる実施形態の断面図である。
【図９】その要部を示す拡大図である。
【符号の説明】
５１  カバー板
５２  外装板
５３  受け板
５４  水密片
５５  水密材
５６  堰板
５７  シーリング材
１０１  既築建物
１０２  増改築建物
【図１】
0003619211.tif 000002
【図２】
0003619211.tif 000003
【図３】
0003619211.tif 000004
【図４】
0003619211.tif 000005
【図５】
0003619211.tif 000006
【図６】
0003619211.tif 000007
【図７】
0003619211.tif 000008
【図８】
0003619211.tif 000009
【図９】
0003619211.tif 000010